(57)【要約】      （修正有）【課題】タッチパネルに近接している手の位置及び形状に応じてタッチ無効領域を適切に設定することが可能な操作入力装置及び操作入力方法を提供する。【解決手段】操作入力装置１は、タッチパネル１１と、手検出処理部と領域設定処理部を有する制御部と、を備える。手検出処理部は、タッチパネルに近接している手の位置及び形状を検出する。領域設定処理部は、手検出処理部により検出される手の位置及び形状に応じてタッチパネルにおけるタッチ無効領域Ａ１を設定する。【選択図】図６Ａ
2018128848.tif 000002
【特許請求の範囲】
【請求項１】
タッチパネルと、
前記タッチパネルに近接している手の位置及び形状を検出する手検出処理部と、
前記手検出処理部により検出される手の位置及び形状に応じて前記タッチパネルにおけるタッチ無効領域を設定する領域設定処理部と、
を備える操作入力装置。
【請求項２】
手の形状を示す手形状パターンと前記タッチ無効領域の形状を示す無効領域形状との対応関係を示すパターン情報を記憶するパターン記憶部と、
前記手検出処理部により検出される手の形状と前記パターン情報に含まれる前記手形状パターンとを照合する照合処理部と、を更に備え、
前記領域設定処理部は、前記照合処理部による照合結果に対応する前記無効領域形状と前記手検出処理部により検出される前記手の位置とに基づいて、前記タッチ無効領域を設定する、
請求項１に記載の操作入力装置。
【請求項３】
前記パターン情報には、前記手形状パターンに対する前記無効領域形状の相対位置が示されており、
前記領域設定処理部は、前記手検出処理部により検出される手の位置と、前記照合処理部による照合結果に対応する前記無効領域形状の前記相対位置とに基づいて、前記タッチパネルにおける前記タッチ無効領域の位置を決定する、
請求項２に記載の操作入力装置。
【請求項４】
ユーザー操作に応じて前記パターン情報を生成する生成処理部を更に備え、
前記生成処理部は、前記手検出処理部により検出される手の形状を前記手形状パターンとして取得するとともに、前記手形状パターンに対応する前記タッチ無効領域をユーザー操作に応じて設定する、
請求項２又は請求項３に記載の操作入力装置。
【請求項５】
前記手検出処理部により検出される手の形状に基づいて指先位置を検出する指先検出処理部を更に備え、
前記領域設定処理部は、前記指先検出処理部により検出される指先位置に応じて前記タッチ無効領域を設定する、
請求項１に記載の操作入力装置。
【請求項６】
前記タッチ無効領域を示す画像を表示部に表示させる表示制御部を更に備える、
請求項１〜５のいずれかに記載の操作入力装置。
【請求項７】
タッチパネルに近接している手の位置及び形状を検出する手検出ステップと、
前記手検出ステップで検出される手の位置及び形状に応じて前記タッチパネルにおけるタッチ無効領域を設定する領域設定ステップと、
を含む操作入力方法。
【発明の詳細な説明】
【技術分野】
【０００１】
本発明は、操作入力装置及び操作入力方法に関する。
【背景技術】
【０００２】
入力操作の対象として表示パネル上に表示されているオブジェクトの位置に応じて、タッチパネルに対する入力操作を無効にする検出無効領域が設定される通信端末装置が知られている（例えば、特許文献１参照）。
【０００３】
また、ユーザ入力領域に近接している手の位置及び形状を検出することが可能なユーザー入力装置が知られている（例えば、特許文献２参照）。
【先行技術文献】
【特許文献】
【０００４】
【特許文献１】特開２０１４−６３２２２号公報
【特許文献２】特開２００２−３４２０３３号公報
【発明の概要】
【発明が解決しようとする課題】
【０００５】
ところで、前記通信端末装置では、例えば多数の前記オブジェクトが表示パネル上に分散して表示されるような場合に、前記検出無効領域を適切に設定することができない。
【０００６】
本発明の目的は、タッチパネルに近接している手の位置及び形状に応じてタッチ無効領域を適切に設定することが可能な操作入力装置及び操作入力方法を提供することにある。
【課題を解決するための手段】
【０００７】
本発明の一の局面に係る操作入力装置は、タッチパネルと、手検出処理部と、領域設定処理部とを備える。前記手検出処理部は、前記タッチパネルに近接している手の位置及び形状を検出する。前記領域設定処理部は、前記手検出処理部により検出される手の位置及び形状に応じて前記タッチパネルにおけるタッチ無効領域を設定する。
【０００８】
本発明の他の局面に係る操作入力方法は、手検出ステップと、領域設定ステップとを含む。前記手検出ステップでは、タッチパネルに近接している手の位置及び形状が検出される。前記領域設定ステップでは、前記手検出ステップで検出される手の位置及び形状に応じて前記タッチパネルにおけるタッチ無効領域が設定される。
【発明の効果】
【０００９】
本発明によれば、タッチパネルに近接している手の位置及び形状に応じてタッチ無効領域を適切に設定することが可能な操作入力装置及び操作入力方法が提供される。
【図面の簡単な説明】
【００１０】
【図１】図１は、本発明の実施形態に係る操作入力装置のシステム構成を示すブロック図である。
【図２Ａ】図２Ａは、本発明の実施形態に係る操作入力装置の使用時の様子を正面側から見た図である。
【図２Ｂ】図２Ｂは、本発明の実施形態に係る操作入力装置の使用時の様子を側面側から見た図である。
【図３Ａ】図３Ａは、本発明の実施形態に係る操作入力装置の使用時の様子を正面側から見た図である。
【図３Ｂ】図３Ｂは、本発明の実施形態に係る操作入力装置の使用時の様子を側面側から見た図である。
【図４Ａ】図４Ａは、本発明の実施形態に係る操作入力装置の使用時の様子を正面側から見た図である。
【図４Ｂ】図４Ｂは、本発明の実施形態に係る操作入力装置の使用時の様子を側面側から見た図である。
【図５】図５は、本発明の実施形態に係る操作入力装置で用いられるパターン情報の一例を示す図である。
【図６Ａ】図６Ａは、本発明の実施形態に係る操作入力装置で設定されるタッチ無効領域の一例を示す図である。
【図６Ｂ】図６Ｂは、本発明の実施形態に係る操作入力装置で設定されるタッチ無効領域の一例を示す図である。
【図７】図７は、本発明の実施形態に係る操作入力装置で表示される無効領域登録画面の一例を示す示す図である。
【図８】図８は、本発明の実施形態に係る操作入力装置で実行されるタッチ入力処理の手順の一例を示すフローチャートである。
【図９】図９は、本発明の実施形態に係る操作入力装置で実行されるパターン情報生成処理の手順の一例を示すフローチャートである。
【図１０】図１０は、本発明の他の実施形態に係る操作入力装置のシステム構成を示すブロック図である。
【図１１】図１１は、本発明の他の実施形態に係る操作入力装置で設定されるタッチ無効領域の一例を示す図である。
【発明を実施するための形態】
【００１１】
以下添付図面を参照しながら、本発明の実施の形態について説明し、本発明の理解に供する。なお、以下の実施の形態は、本発明を具体化した一例であって、本発明の技術的範囲を限定するものではない。
【００１２】
［操作入力装置の構成］
図１に示すように、本実施形態に係る操作入力装置１は、表示部１０、タッチパネル１１、手検出センサー１２、記憶部１３、及び制御部１４などを備える。操作入力装置１は、例えば、タブレットＰＣ、スマートフォン、電子ブックリーダー、携帯情報端末などである。記憶部１３は、本発明の「パターン記憶部」の一例である。
【００１３】
表示部１０は、例えば、液晶ディスプレーであり、ホーム画面、各種のアプリケーションソフトにより生成される画面などを表示する。
【００１４】
タッチパネル１１は、表示部１０上に設けられており、ユーザーによる表示部１０へのタッチ操作が行われたときに、当該タッチ操作のタッチ位置を示す信号を出力する。
【００１５】
ところで、入力操作の対象として表示パネル上に表示されているオブジェクトの位置に応じて、タッチパネルに対する入力操作を無効にする検出無効領域が設定される通信端末装置が知られている。前記通信端末装置では、例えば多数の前記オブジェクトが表示パネル上に分散して表示されるような場合に、前記検出無効領域を適切に設定することができない。これに対して、本実施形態に係る操作入力装置１では、タッチパネル１１に近接している手の位置及び形状に応じてタッチ無効領域Ａ１（図６Ａ参照）を適切に設定することが可能である。
【００１６】
手検出センサー１２は、タッチパネル１１に近接している手（手の一部であってもよい）の位置及び形状に応じた信号を出力するセンサーである。すなわち、手検出センサー１２は、タッチパネル１１に非接触の状態の手の位置及び形状に応じた信号を出力する。なお、前記位置は、少なくともタッチパネル１１に沿った二次元方向（すなわち、図２Ａにおける上下方向及び左右方向）における位置であればよい。
【００１７】
手検出センサー１２の構成としては種々の構成が考えられる。例えば、手検出センサー１２が、タッチパネル１１に沿って二次元的に（例えば、格子状に）配置された複数の静電容量型の近接センサーであってもよい。他の例として、手検出センサー１２が、タッチパネル１１に近接している手に対して赤外線を照射する一又は複数の赤外線発光部と、手で反射した赤外線を受光する一又は複数の前記赤外線受光部とを含んでもよい。さらに他の例として、手検出センサー１２が、タッチパネル１１に近接している手をタッチパネル１１側から撮像するカメラであってもよい。なお、画像形成装置のような据置型の装置の操作パネルに本発明を適用する場合は、天井又は壁に設置されたカメラを手検出センサー１２として利用してもよい。
【００１８】
記憶部１３は、ＥＥＰＲＯＭ（登録商標）などの不揮発性の記憶部である。記憶部１３には、制御部１４によって実行される各種の制御プログラム、及び後述するパターン情報Ｄ１（図５参照）などが記憶される。
【００１９】
制御部１４は、ＣＰＵ、ＲＯＭ、及びＲＡＭなどの制御機器を備える。前記ＣＰＵは、各種の演算処理を実行するプロセッサーである。前記ＲＯＭは、前記ＣＰＵに各種の処理を実行させるための制御プログラムなどの情報が予め記憶される不揮発性の記憶部である。前記ＲＡＭは、前記ＣＰＵが実行する各種の処理の一時記憶メモリー（作業領域）として使用される揮発性又は不揮発性の記憶部である。
【００２０】
具体的に、制御部１４は、手検出処理部１４１、領域設定処理部１４２、照合処理部１４３、生成処理部１４４、及び表示制御部１４５を含む。なお、制御部１４は、前記制御プログラムに従って各種の処理を実行することにより各処理部として機能する。また、制御部１４は、各処理部の一部又は複数の処理機能を実現する電子回路を備えるものであってもよい。
【００２１】
手検出処理部１４１は、タッチパネル１１に近接している手の位置及び形状を検出する。具体的に、手検出処理部１４１は、手検出センサー１２から出力される信号に基づいて、タッチパネル１１に近接している手の位置及び形状を検出する。例えば、タッチパネル１１に近接している手を撮像するカメラが手検出センサー１２として用いられる場合は、手検出処理部１４１は、前記カメラから出力される画像データに対して二値化処理、輪郭抽出処理などを行って、タッチパネル１１に近接している手の位置及び形状を検出する。
【００２２】
領域設定処理部１４２は、手検出処理部１４１により検出される手の位置及び形状に応じてタッチパネル１１におけるタッチ無効領域Ａ１を設定する。本実施形態では、領域設定処理部１４２は、後述する照合処理部１４３による照合結果に基づいて、タッチ無効領域Ａ１を設定する。
【００２３】
照合処理部１４３は、手検出処理部１４１により検出される手の形状と、記憶部１３に記憶されているパターン情報Ｄ１に含まれる手形状パターンＰ１，Ｐ２とを照合する。図５に示されるように、パターン情報Ｄ１は、手の形状を示す手形状パターンＰ１，Ｐ２と、タッチ無効領域Ａ１の形状を示す無効領域形状Ｆ１，Ｆ２との対応関係を示す情報である。パターン情報Ｄ１は、ネットワーク又は外部記憶媒体などを介して外部の情報処理装置から取得されてもよいし、後述する生成処理部１４４により生成されてもよい。照合処理部１４３における照合処理には、公知の任意のパターンマッチ手法を採用することができる。
【００２４】
パターン情報Ｄ１には、誤入力が発生しやすい手形状パターンＰ１，Ｐ２が登録されている。例えば、図２Ａ及び図２Ｂに示されるように、ユーザーが操作入力装置１を片手（ここでは、右手）で持ちながら、その手の親指でタッチ操作をする場合、ユーザーの意図に反して親指の付け根の部分がタッチパネル１１に接触して、誤入力が発生することがある。よって、図２Ａ及び図２Ｂに示されるような手の状態で操作入力装置１が操作される場合には、タッチパネル１１における親指の付け根の部分に対向する領域をタッチ無効領域Ａ１として設定することによって、このような誤入力を防止することができる。そこで、図５に示されるパターン情報Ｄ１には、図２Ａ及び図２Ｂに示されるような手の状態に対応する手形状パターンＰ１と、手形状パターンＰ１に対応する無効領域形状Ｆ１とが登録されている。
【００２５】
また、例えば、図３Ａ及び図３Ｂに示されるように、ユーザーが操作入力装置１を机などに置いた状態で人差し指でタッチ操作をする場合、ユーザーの意図に反して他の指（例えば、中指の第１関節など）がタッチパネル１１に接触して、誤入力が発生することがある。よって、図３Ａ及び図３Ｂに示されるような手の状態で操作入力装置１が操作される場合には、タッチパネル１１における人差し指以外の指に対向する領域をタッチ無効領域Ａ１として設定することによって、このような誤入力を防止することができる。そこで、図５に示されるパターン情報Ｄ１には、図３Ａ及び図３Ｂに示されるような手の状態に対応する手形状パターンＰ２と、手形状パターンＰ２に対応する無効領域形状Ｆ２とが登録されている。
【００２６】
なお、ユーザーが操作入力装置１を片手（例えば、右手）で持ちながら、その手の親指でタッチ操作をする場合であっても、図４Ａ及び図４Ｂに示されるように、ユーザーが表示部１０の右端部をタッチしようとしている場合は、親指の付け根の部分がタッチパネル１１とは対向しないため、誤入力が発生することはない。よって、図４Ａ及び図４Ｂに示されるような手の状態で操作入力装置１が操作される場合には、タッチ無効領域Ａ１を設定する必要がないため、図５に示されるパターン情報Ｄ１には、図４Ａ及び図４Ｂに示されるような手の状態に対応する手形状パターンは登録されていない。
【００２７】
領域設定処理部１４２は、照合処理部１４３による照合結果に対応する無効領域形状と、手検出処理部１４１により検出される手の位置とに基づいて、タッチ無効領域Ａ１を設定する。具体的に、パターン情報Ｄ１には、手形状パターンＰ１，Ｐ２に対する無効領域形状Ｆ１，Ｆ２の相対位置が示されており、領域設定処理部１４２は、手検出処理部１４１により検出される手の位置と、照合処理部１４３による照合結果に対応する無効領域形状の前記相対位置とに基づいて、タッチパネル１１におけるタッチ無効領域Ａ１の位置を決定する。例えば、図５に示されるパターン情報Ｄ１では、一点鎖線で示される手形状パターンＰ１，Ｐ２の位置を基準として、無効領域形状Ｆ１，Ｆ２の位置（前記相対位置）が定義されている。これにより、手検出処理部１４１により検出される手の位置を基準としてタッチ無効領域Ａ１が設定されるため、図６Ａ及び図６Ｂに示されるように、表示部１０に対する手の位置が変化したとしても、親指の付け根の部分に対向する位置にタッチ無効領域Ａ１が設定される。
【００２８】
生成処理部１４４は、ユーザー操作に応じてパターン情報Ｄ１を生成する。具体的に、生成処理部１４４は、手検出処理部１４１により検出される手の形状を手形状パターンとして取得するとともに、前記手形状パターンに対応するタッチ無効領域Ａ１をユーザー操作に応じて設定する。
【００２９】
ユーザーは、例えば、表示部１０に表示される設定メニュー画面（不図示）から、パターン情報生成処理の開始を要求することができる。前記パターン情報生成処理の開始が要求されると、生成処理部１４４は、例えば、表示部１０に手を近接させるようにユーザーに促すメッセージを表示部１０に表示させる。そして、予め定められた時間（例えば数秒間）が経過後に、その時点におけるユーザーの手の形状が手検出処理部１４１により検出される。そして、生成処理部１４４は、図７に示されるような無効領域登録画面を表示部１０に表示させる。前記無効領域登録画面には、図７において一点鎖線で示されるように、手検出処理部１４１により検出された手の形状を示す手形状パターンが表示される。また、前記無効領域登録画面には、無効領域を示す一又は複数のテンプレート図形Ｔ１，Ｔ２が表示されており、ユーザーは、任意のテンプレート図形を、前記手形状パターン上の任意の位置までドラッグアンドドロップすることによって、手の位置に対するタッチ無効領域Ａ１の相対位置を設定することができる。また、ユーザーは、前記手形状パターン上に配置されたテンプレート図形を、例えば２本の指を用いて、回転、拡大、又は縮小させることができる。そして、前記無効領域登録画面において操作キーＫ１が操作されると、生成処理部１４４は、前記手形状パターン上に配置されたテンプレート図形の位置及び形状に基づいてパターン情報Ｄ１を生成して、記憶部１３に保存する。
【００３０】
表示制御部１４５は、領域設定処理部１４２により設定されたタッチ無効領域Ａ１に基づいて、タッチ無効領域Ａ１を示す画像を表示部１０に表示させる。例えば、表示制御部１４５は、表示部１０に表示されている任意の画面（例えば、ホーム画面など）に、タッチ無効領域Ａ１の輪郭を示す輪郭線画像を重ねて表示してもよい。もしくは、表示制御部１４５は、表示部１０に表示されている任意の画面において、タッチ無効領域Ａ１の表示態様を、タッチ無効領域Ａ１外の領域の表示態様とは異ならせてもよい。例えば、表示制御部１４５は、タッチ無効領域Ａ１の明るさを、タッチ無効領域Ａ１外の領域よりも暗くしてもよい。これにより、ユーザーは、タッチ無効領域Ａ１が適切に設定されているか否かを容易に確認することができる。
【００３１】
［タッチ入力処理］
以下、図８を参照しつつ、制御部１４によって実行されるタッチ入力処理の手順の一例について説明する。ここで、ステップＳ１、Ｓ２・・・は、制御部１４により実行される処理手順（ステップ）の番号を表している。なお、図８に示されるタッチ入力処理は、例えば、操作入力装置１の電源がオンされたことに応じて開始され、操作入力装置１の電源がオフされたことに応じて終了される。
【００３２】
＜ステップＳ１＞
まず、ステップＳ１において、制御部１４（手検出処理部１４１）は、手検出センサー１２から出力される信号に基づいて、タッチパネル１１に近接している手の位置及び形状を検出する。当該ステップＳ１の処理は、本発明の「手検出ステップ」の一例である。
【００３３】
＜ステップＳ２＞
ステップＳ２において、制御部１４（照合処理部１４３）は、前記ステップＳ１で検出された手の形状と、記憶部１３に記憶されているパターン情報Ｄ１に含まれる手形状パターンＰ１，Ｐ２とを照合する。
【００３４】
＜ステップＳ３＞
ステップＳ３において、制御部１４は、前記ステップＳ２の照合結果に基づいて、前記ステップＳ１で検出された手の形状に対応する手形状パターンがパターン情報Ｄ１に存在するか否かを判断する。そして、前記手形状パターンがパターン情報Ｄ１に存在すると判断されると（Ｓ３：Ｙｅｓ）、処理がステップＳ４に移行する。一方、前記手形状パターンがパターン情報Ｄ１に存在しないと判断されると（Ｓ３：Ｎｏ）、処理がステップＳ６に移行する。
【００３５】
＜ステップＳ４＞
ステップＳ４において、制御部１４（領域設定処理部１４２）は、パターン情報Ｄ１に含まれている、前記形状パターン（すなわち、前記ステップＳ１で検出された手の形状に対応する手形状パターン）に対応する無効領域形状に基づいて、タッチ無効領域Ａ１を設定する。
【００３６】
＜ステップＳ５＞
ステップＳ５において、制御部１４（表示制御部１４５）は、前記ステップＳ４で設定されたタッチ無効領域Ａ１を表示部１０に表示する。
【００３７】
＜ステップＳ６＞
ステップＳ６において、制御部１４は、タッチパネル１１から出力される信号に基づいて、タッチ操作が行われたか否かを判断する。そして、タッチ操作が行われたと判断されると（Ｓ６：Ｙｅｓ）、処理がステップＳ７に移行する。一方、タッチ操作が行われていないと判断されると（Ｓ６：Ｎｏ）、処理が前記ステップＳ１に戻る。
【００３８】
＜ステップＳ７＞
ステップＳ７において、制御部１４は、前記タッチ操作によるタッチ位置が、前記ステップＳ４で設定されたタッチ無効領域Ａ１内か否かを判断する。そして、前記タッチ位置がタッチ無効領域Ａ１内であると判断されると（Ｓ７：Ｙｅｓ）、処理が前記ステップＳ１に戻る。一方、前記タッチ位置がタッチ無効領域Ａ１内ではないと判断されると（Ｓ７：Ｎｏ）、処理がステップＳ８に移行する。
【００３９】
＜ステップＳ８＞
ステップＳ８において、制御部１４は、前記タッチ位置に応じた処理を実行する。例えば、前記タッチ位置に、アプリケーションソフトを起動させるアイコンが表示されている場合は、制御部１４は、前記アプリケーションソフトを起動する。そして、処理が前記ステップＳ１に戻る。
【００４０】
［パターン情報生成処理］
次に、図９を参照しつつ、制御部１４によって実行されるパターン情報生成処理の手順の一例について説明する。ここで、ステップＳ１１、Ｓ１２・・・は、制御部１４により実行される処理手順（ステップ）の番号を表している。なお、図９に示されるパターン情報生成処理は、例えば、タッチパネル１１を通じてユーザーから前記パターン情報生成処理の開始が要求されたことに応じて開始される。
【００４１】
＜ステップＳ１１＞
まず、ステップＳ１１において、制御部１４（手検出処理部１４１）は、手検出センサー１２から出力される信号に基づいて、タッチパネル１１に近接している手の形状を検出する。
【００４２】
＜ステップＳ１２＞
ステップＳ１２において、制御部１４（生成処理部１４４）は、前記ステップＳ１１で検出された手の形状を示す手形状パターンを、表示部１０に表示させる。例えば、制御部１４は、図７に示されるような無効領域登録画面を表示部１０に表示させる。
【００４３】
＜ステップＳ１３＞
ステップＳ１３において、制御部１４（生成処理部１４４）は、タッチパネル１１に対するユーザー操作に応じて、前記手形状パターンに対応する無効領域形状を設定する。
【００４４】
＜ステップＳ１４＞
ステップＳ１４において、制御部１４（生成処理部１４４）は、前記ステップＳ１１で検出された手の形状を示す手形状パターンと前記ステップＳ１３で設定された前記無効領域形状とを含むパターン情報Ｄ１を生成して、記憶部１３に保存する。そして、前記パターン情報生成処理が終了する。
【００４５】
以上のように、本実施形態では、タッチパネル１１に近接している手の位置及び形状が検出されて、当該検出された手の位置及び形状に応じてタッチパネル１１におけるタッチ無効領域Ａ１が設定される。よって、本実施形態によれば、タッチパネル１１に近接している手の位置及び形状に応じてタッチ無効領域Ａ１を適切に設定することが可能である。
【００４６】
［変形例］
なお、本実施形態では、パターン情報Ｄ１に基づいてタッチ無効領域Ａ１が設定されるが、本発明はこれに限定されない。例えば、他の実施形態では、図１０に示されるように、制御部１４が、指先検出処理部１４６を含んでもよい。指先検出処理部１４６は、手検出処理部１４１により検出される手の形状に基づいて指先位置Ｐｆを検出する。指先検出処理部１４６は、例えば、手検出処理部１４１により検出される手の形状の輪郭線の曲率などに基づいて、指先位置Ｐｆを検出してもよい。そして、領域設定処理部１４２は、指先検出処理部１４６により検出される指先位置Ｐｆに応じてタッチ無効領域Ａ１を設定する。例えば、領域設定処理部１４２は、図１１に示されるように、指先検出処理部１４６により検出される指先位置Ｐｆを含む所定範囲（指先位置Ｐｆを基準として設定される範囲）外の領域を、タッチ無効領域Ａ１として設定してもよい。
【００４７】
また、図８に示されるフローチャートでは、タッチ操作が行われたか否かに関わらず、前記ステップＳ１〜Ｓ５の処理が繰り返し実行されるが、本発明はこれに限定されない。例えば、他の実施形態では、前記ステップＳ６においてタッチ操作が行われたと判断された直後にのみ、前記ステップＳ１〜Ｓ４の処理が実行されてもよい。
【００４８】
また、本実施形態では、手検出処理部１４１によって手の二次元的な形状が検出されるが、本発明はこれに限らず、手検出処理部１４１によって手の三次元的な形状が検出されてもよい。この場合、パターン情報Ｄ１には、手の三次元的な形状を示す三次元的な手形状パターンが含まれてもよい。そして、手検出処理部１４１によって検出された手の三次元的な形状と、パターン情報Ｄ１に含まれる三次元的な手形状パターンとが、照合処理部１４３により照合されてもよい。
【符号の説明】
【００４９】
１  操作入力装置
１０  表示部
１１  タッチパネル
１２  手検出センサー
１３  記憶部
１４  制御部
１４１  手検出処理部
１４２  領域設定処理部
１４３  照合処理部
１４４  生成処理部
１４５  表示制御部
１４６  指先検出処理部
【図１】
2018128848.tif 000003
【図２Ａ】
2018128848.tif 000004
【図２Ｂ】
2018128848.tif 000005
【図３Ａ】
2018128848.tif 000006
【図３Ｂ】
2018128848.tif 000007
【図４Ａ】
2018128848.tif 000008
【図４Ｂ】
2018128848.tif 000009
【図５】
2018128848.tif 000010
【図６Ａ】
2018128848.tif 000011
【図６Ｂ】
2018128848.tif 000012
【図７】
2018128848.tif 000013
【図８】
2018128848.tif 000014
【図９】
2018128848.tif 000015
【図１０】
2018128848.tif 000016
【図１１】
2018128848.tif 000017